(57)【要約】      （修正有）【課題】歯周ポケット内に溜まった歯垢（プラーク）を確実に除去することができる歯ブラシを提供することを目的としている。【解決手段】複数本の毛材４ａを有する毛束４と、毛束４が植設されている植毛部３と、植毛部３から延在するハンドル部と、を備える歯ブラシであって、毛束４は、先端部４０ａが植毛部の植毛面３ｃより突出され、該先端部４０ａの先端面４０ａ１が鋭利に形成された第１半毛束部４０と、先端部４１ａが植毛部の植毛面３ｃより突出され、該先端部４１ａの先端面４１ａ１が平坦に形成された第２半毛束部４１とを有し、第１半毛束部４０の基端部４０ｂと、第２半毛束部４１の基端部４１ｂとは、連接されており、第１半毛束部４０の毛丈は、第２半毛束部４１の毛丈よりも長く形成され、第１半毛束部４０と、第２半毛束部４１との毛丈差は、３ｍｍ〜５ｍｍに形成されてなる。【選択図】図２
2018121685.tif 000002
【特許請求の範囲】
【請求項１】
複数本の毛材を有する毛束と、
前記毛束が植設されている植毛部と、
前記植毛部から延在するハンドル部と、を備える歯ブラシであって、
前記毛束は、先端部が前記植毛部の植毛面より突出され、該先端部の先端面が鋭利に形成された第１半毛束部と、先端部が前記植毛部の植毛面より突出され、該先端部の先端面が平坦に形成された第２半毛束部とを有し、
前記第１半毛束部の基端部と、前記第２半毛束部の基端部とは、連接されており、
前記第１半毛束部の毛丈は、前記第２半毛束部の毛丈よりも長く形成され、
前記第１半毛束部と、前記第２半毛束部との毛丈差は、３ｍｍ〜５ｍｍに形成されてなる歯ブラシ。
【請求項２】
前記毛材の径は、０．１２７ｍｍ〜０．１３３ｍｍに形成されてなる請求項１に記載の歯ブラシ。
【発明の詳細な説明】
【技術分野】
【０００１】
本発明は、歯ブラシに関し、特に、歯周ポケット内に溜まった歯垢（プラーク）を確実に除去することができる歯ブラシに関する。
【背景技術】
【０００２】
従来の歯ブラシとして、特許文献１に記載のような歯ブラシが知られている。この歯ブラシは、長尺の柄と、柄の先端に形成される植毛部と、植毛部上のブラシ部と、を有し、この植毛部は円形状に形成され、ブラシ部は、植毛部の中心部に配置される中央毛束と、中央毛束の周囲を囲うように配置され中央毛束より低い複数の側部毛束とを有し、この中央毛束及び側部毛束は、中央に近づくに連れて高くなるように山型に傾斜して形成され、中央毛束の毛量は、前記側部毛束一つの毛量よりも多いことを特徴とするものである。
【先行技術文献】
【特許文献】
【０００３】
【特許文献１】特開２０１６−１７４７３３号公報
【発明の概要】
【発明が解決しようとする課題】
【０００４】
しかしながら、上記のような歯ブラシは、短時間かつ軽い力でのブラッシングで、歯間や歯と歯茎の隙間や溝及び歯や歯茎の表面をより効果的に清掃することができるものの、歯周ポケット内に溜まった歯垢（プラーク）を確実に除去することができないという問題があった。
【０００５】
そこで本発明は、上記問題に鑑み、歯周ポケット内に溜まった歯垢（プラーク）を確実に除去することができる歯ブラシを提供することを目的としている。
【課題を解決するための手段】
【０００６】
上記本発明の目的は、以下の手段によって達成される。なお、括弧内は、後述する実施形態の参照符号を付したものであるが、本発明はこれに限定されるものではない。
【０００７】
請求項１に係る歯ブラシは、複数本の毛材（４ａ）を有する毛束（４）と、
前記毛束（４）が植設されている植毛部（３）と、
前記植毛部（３）から延在するハンドル部（２）と、を備える歯ブラシであって、
前記毛束（４）は、先端部（４０ａ）が前記植毛部（３）の植毛面（３ｃ）より突出され、該先端部（４０ａ）の先端面（４０ａ１）が鋭利に形成された第１半毛束部（４０）と、先端部（４１ａ）が前記植毛部（３）の植毛面（３ｃ）より突出され、該先端部（４１ａ）の先端面（４１ａ１）が平坦に形成された第２半毛束部（４１）とを有し、
前記第１半毛束部（４０）の基端部（４０ｂ）と、前記第２半毛束部（４１）の基端部（４１ｂ）とは、連接されており、
前記第１半毛束部（４０）の毛丈は、前記第２半毛束部（４１）の毛丈よりも長く形成され、
前記第１半毛束部（４０）と、前記第２半毛束部（４１）との毛丈差は、３ｍｍ〜５ｍｍに形成されてなることを特徴としている。
【０００８】
また、請求項２に係る歯ブラシは、上記請求項１に記載の歯ブラシにおいて、前記毛材（４ａ）の径は、０．１２７ｍｍ〜０．１３３ｍｍに形成されてなることを特徴としている。
【発明の効果】
【０００９】
次に、本発明の効果について、図面の参照符号を付して説明する。なお、括弧内は、後述する実施形態の参照符号を付したものであるが、本発明はこれに限定されるものではない。
【００１０】
請求項１に係る歯ブラシによれば、図３に示すように、歯（Ｔ）と歯茎（ＴＧ）の間に設けられている歯周ポケット（ＴＰ）の深さ（Ｄ）は、健康な歯であれば、３ｍｍぐらいであることが一般的に知られている。この歯周ポケット（ＴＰ）内には、歯垢（プラーク）が溜まり易いため、歯垢（プラーク）を確実に除去しなければ、歯槽膿漏や虫歯の原因となる。そこで、本発明によれば、この歯周ポケット（ＴＰ）の深さ（Ｄ）（約３ｍｍ）に対応するために、第１半毛束部（４０）と第２半毛束部（４１）との毛丈差が、３ｍｍ〜５ｍｍになるように形成している。すなわち、第１半毛束部（４０）の先端面（４０ａ１）を鋭利な形状にし、第２半毛束部（４１）の先端面（４１ａ１）を平坦にし、第１半毛束部（４０）と第２半毛束部（４１）との毛丈差を３ｍｍ〜５ｍｍになるように形成することで、図３に示すように、第２半毛束部（４１）の先端面（４１ａ１）が歯茎（ＴＧ）に当り、ストッパーの役割を行い、さらに、第１半毛束部（４０）の先端面（４０ａ１）が鋭利な形状であると共に、第１半毛束部（４０）の先端面（４０ａ１）は、第２半毛束部（４１）の先端面（４１ａ１）より３ｍｍ〜５ｍｍ長く形成されていることから、第１半毛束部（４０）の先端面（４０ａ１）が、歯周ポケット（ＴＰ）の深さ（Ｄ）（約３ｍｍ）内に深く侵入することができ、もって、歯周ポケット（ＴＰ）内の歯垢（プラーク）を確実に除去することができるようにしている。これにより、歯槽膿漏や虫歯を予防することができることとなる。
【００１１】
また、請求項２に係る歯ブラシによれば、第１半毛束部（４０）の先端面（４０ａ１）の硬さを低下させる（柔らかくする）ため、毛材（４ａ）の径を、０．１２７ｍｍ〜０．１３３ｍｍに形成し、歯周ポケット（ＴＰ）内の歯垢（プラーク）を除去する際に、痛みが生じ難いようにしている。
【図面の簡単な説明】
【００１２】
【図１】（ａ）は本発明の一実施形態に係る歯ブラシの側面図、（ｂ）は同実施形態に係る歯ブラシの正面図である。
【図２】（ａ）は図１（ｂ）に示す歯ブラシの一部縦断面図、（ｂ）は（ａ）に示す破線Ａ部分の拡大図、（ｃ）は（ａ）に示す破線Ｂ部分の拡大図である。
【図３】同実施形態に係る歯ブラシを用いて歯周ポケットを清掃している状態を示し、歯と歯茎を示す模式断面図である。
【発明を実施するための形態】
【００１３】
以下、本発明に係る歯ブラシの一実施形態について、図面を参照して具体的に説明する。なお、以下の説明において、上下左右の方向を示す場合は、図示正面から見た場合の上下左右をいうものとする。
【００１４】
図１（ａ）に示すように、歯ブラシ１は、ハンドル部２と、ハンドル部２に延設された植毛部３とが一体成形されたものである。ハンドル部２は、図１（ａ）に示すように、側面視長尺の矩形状に形成され、当該歯ブラシ１を使用する際に、使用者が把持するものである。
【００１５】
一方、植毛部３は、図１（ｂ）に示すように、正面視略逆台形状の植毛台３ａと、その植毛台３ａに設けられた複数の植毛孔３ｂ（図２（ａ）参照）とを有しており、この複数の植毛孔３ｂ（図２（ａ）参照）内にそれぞれ毛束４が嵌入固定（打ち込み）されることによって、図１に示すように、複数の毛束４が植毛部３に植設されるようになっている。この毛束４は、図２（ｂ），（ｃ）に示すように、複数本の毛材４ａ，・・・を集束してなるもので、図１（ｂ）及び図２（ａ）に示すように、第１半毛束部４０と、第２半毛束部４１とを備えている。この第１半毛束部４０と、第２半毛束部４１とは、図２（ａ）に示すように、毛束４をＵ型に２つ折りにすることによって形成されるもので、第１半毛束部４０と第２半毛束部４１との毛丈差を異ならしめるようにしている。より具体的に説明すると、第１半毛束部４０は、図２（ａ）に示すように、先端部４０ａが植毛台３ａの植毛面３ｃより突出して設けられると共に、その植毛面３ｃに対して直交方向に立設されるようになっている。そして、このような先端部４０ａの先端面４０ａ１は、尖った鋭利な形状になっている。すなわち、図２（ｂ）に示すように、先端部４０ａの先端面４０ａ１を形成する複数本の毛材４ａの先端がそれぞれ尖った鋭利な形状になっている。
【００１６】
また、第２半毛束部４１は、図２（ａ）に示すように、先端部４１ａが植毛台３ａの植毛面３ｃより突出して設けられると共に、その植毛面３ｃに対して直交方向に立設されるようになっている。そして、このような先端部４１ａの先端面４１ａ１は、平坦に形成されている。すなわち、図２（ｃ）に示すように、先端部４１ａの先端面４１ａ１を形成する複数本の毛材４ａの先端が平坦に形成されている。
【００１７】
一方、図２（ａ）に示すように、第１半毛束部４０の基端部４０ｂと、第２半毛束部４１の基端部４１ｂとは、毛束４をＵ型に２つ折りにすることによって、第１半毛束部４０と、第２半毛束部４１とを形成していることから、連接されている。
【００１８】
しかして、このように形成される第１半毛束部４０と、第２半毛束部４１との毛丈差を異ならしめるようにするにあたっては、図２（ａ）に示すように、第１半毛束部４０の毛丈が第２半毛束部４１の毛丈より長くなるように形成されている。すなわち、第１半毛束部４０の先端面４０ａ１から、第２半毛束部４１の先端面４１ａ１までの長さＨが３ｍｍ〜５ｍｍになるように形成されている。これにより、第１半毛束部４０の毛丈が第２半毛束部４１の毛丈より長くなるように形成されている。
【００１９】
ところで、第１半毛束部４０の先端面４０ａ１から、第２半毛束部４１の先端面４１ａ１までの長さＨを３ｍｍ〜５ｍｍになるように形成する理由は、次の理由によるものである。すなわち、図３に示すように、歯Ｔと歯茎ＴＧの間に設けられている歯周ポケットＴＰの深さＤは、健康な歯であれば、３ｍｍぐらいであることが一般的に知られている。この歯周ポケットＴＰ内には、歯垢（プラーク）が溜まり易いため、歯垢（プラーク）を確実に除去しなければ、歯槽膿漏や虫歯の原因となる。そこで、本実施形態においては、この歯周ポケットＴＰの深さＤ（約３ｍｍ）に対応するために、第１半毛束部４０の先端面４０ａ１から、第２半毛束部４１の先端面４１ａ１までの長さＨを３ｍｍ〜５ｍｍになるように形成している。より具体的に説明すると、第１半毛束部４０の先端面４０ａ１を尖った鋭利な形状にし、第２半毛束部４１の先端面４１ａ１を平坦にし、第１半毛束部４０の先端面４０ａ１から、第２半毛束部４１の先端面４１ａ１までの長さＨを３ｍｍ〜５ｍｍに形成することで、図３に示すように、第２半毛束部４１の先端面４１ａ１が歯茎ＴＧに当り、ストッパーの役割を行い、さらに、第１半毛束部４０の先端面４０ａ１が尖った鋭利な形状であると共に、第１半毛束部４０の先端面４０ａ１は、第２半毛束部４１の先端面４１ａ１より３ｍｍ〜５ｍｍ長く形成されていることから、第１半毛束部４０の先端面４０ａ１が、歯周ポケットＴＰの深さＤ（約３ｍｍ）内に深く侵入することができ、もって、歯周ポケットＴＰ内の歯垢（プラーク）を確実に除去することができる。これにより、歯槽膿漏や虫歯を予防することができることとなる。なお、第１半毛束部４０の先端面４０ａ１から、第２半毛束部４１の先端面４１ａ１までの長さＨを３ｍｍより短く形成すると、歯周ポケットＴＰの深さＤ（約３ｍｍ）内に深く侵入することができず、もって、歯周ポケットＴＰ内の歯垢（プラーク）を確実に除去することができなくなる。また、第１半毛束部４０の先端面４０ａ１から、第２半毛束部４１の先端面４１ａ１までの長さＨを５ｍｍより長く形成すると、第２半毛束部４１の先端面４１ａ１が歯茎ＴＧに当らず、ストッパーの役割が無くなってしまうため、第１半毛束部４０の先端面４０ａ１にて、歯周ポケットＴＰ内の歯垢（プラーク）をしっかりと掻き出すことができなくなり、もって、歯周ポケットＴＰ内の歯垢（プラーク）を確実に除去することができなくなる。それゆえ、第１半毛束部４０の先端面４０ａ１から、第２半毛束部４１の先端面４１ａ１までの長さＨを３ｍｍ〜５ｍｍになるように形成するのが好ましい。
【００２０】
ところで、歯周ポケットＴＰ内の歯垢（プラーク）を確実に除去するにあたって、図２（ｂ），（ｃ）に示す毛材４ａの幅（直径）Ｗは、どのような値に形成しても良い。しかしながら、歯周ポケットＴＰの深さＤ（約３ｍｍ）内に深く侵入する第１半毛束部４０の先端面４０ａ１の硬さが硬いと、歯周ポケットＴＰ内の歯垢（プラーク）を除去する際に、痛みが生じてしまう可能性がある。そこで、本実施形態においては、第１半毛束部４０の先端面４０ａ１の硬さを低下させる（柔らかくする）ため、毛材４ａの幅（直径）Ｗを、０．１２７ｍｍ〜０．１３３ｍｍに形成し、歯周ポケットＴＰ内の歯垢（プラーク）を除去する際に、痛みが生じ難いようにしている。すなわち、毛材４ａの幅（直径）Ｗを、細くするようにすれば、図２（ｂ），（ｃ）に示すように、毛束４は、複数本の毛材４ａ，・・・を集束してなるものであるから、毛束４の幅（直径）も細くなり、もって、毛材４ａの幅（直径）Ｗが太いものに比べ硬さも必然的に低下することとなる。しかしながら、毛材４ａの幅（直径）Ｗを、細くし過ぎる（毛材４ａの幅（直径）Ｗを、０．１２７ｍｍより細くする）と、歯周ポケットＴＰ内の歯垢（プラーク）をしっかりと掻き出すことができなくなってしまう。一方、毛材４ａの幅（直径）Ｗを太くし過ぎる（毛材４ａの幅（直径）Ｗを、０．１３３ｍｍより太くする）と、第１半毛束部４０の先端面４０ａ１が柔らかくならず、もって、痛みが生じ易くなる。それゆえ、第１半毛束部４０の先端面４０ａ１の硬さを低下（柔らかく）させると共に、歯周ポケットＴＰ内の歯垢（プラーク）を除去する際に痛みが生じ難く、且つ、歯周ポケットＴＰ内の歯垢（プラーク）を確実に除去することができるように、毛材４ａの幅（直径）Ｗを、０．１２７ｍｍ〜０．１３３ｍｍに形成している。
【００２１】
なお、第１半毛束部４０と第２半毛束部４１とが、図２（ａ）に示すように、植毛台３ａの植毛面３ｃより突出して設けられると共に、その植毛面３ｃに対して直交方向に立設される状態を維持するにあたっては、毛束４をＵ型に２つ折りにした際、金属線材４２を、かしめることによって、その２つ折り状態を維持するようにしている。これにより、第１半毛束部４０と第２半毛束部４１とが、立設状態を維持することとなるから、この状態で、植毛台３ａに設けられた複数の植毛孔３ｂ（図２（ａ）参照）内に嵌入固定（打ち込み）するようにすれば、第１半毛束部４０と第２半毛束部４１とが、図２（ａ）に示すように、植毛台３ａの植毛面３ｃより突出して設けられると共に、その植毛面３ｃに対して直交方向に立設されることとなる。
【００２２】
しかして、以上説明した本実施形態によれば、歯周ポケットＴＰ内に溜まった歯垢（プラーク）を確実に除去することができる。
【００２３】
なお、本実施形態に示した形状・寸法等はあくまで例示であり、特許請求の範囲に記載された本発明の要旨の範囲内において、種々の変形・変更が可能である。
【符号の説明】
【００２４】
１          歯ブラシ
２          ハンドル部
３          植毛部
３ｃ        植毛面
４          毛束
４ａ        毛材
４０        第１半毛束部
４０ａ      先端部
４０ａ１    先端面
４１        第２半毛束部
４１ａ      先端部
４１ａ１    先端面
【図１】
2018121685.tif 000003
【図２】
2018121685.tif 000004
【図３】
2018121685.tif 000005